Podtech/llm-jp-corpus-v4-ja_patent huggingface dataset:
【手続補正書】
【提出日】平成16年2月13日(2004.2.13)
【手続補正１】
【補正対象書類名】明細書
【補正対象項目名】請求項１
【補正方法】変更
【補正の内容】
【請求項１】
モニタの表示画面上に仮想３次元空間を表示するためのマップデータを記憶するマップデータ記憶手段、
前記仮想３次元空間中にプレイヤキャラクタを表示するためのプレイヤキャラクタデータを記憶するプレイヤキャラクタデータ記憶手段、
前記仮想３次元空間中に静止オブジェクトを表示するための静止オブジェクトデータを記憶する静止オブジェクトデータ記憶手段、
前記マップデータと前記静止オブジェクトデータ上に前記プレイヤキャラクタの行動を限定する行動制限領域を設定する設定手段、
前記プレイヤキャラクタの所定の動作に応答して前記設定手段によって設定された行動制限領域の少なくとも一部を解除する解除手段、
前記設定手段によって設定された行動制限領域をリアルタイムに記憶し、かつ前記解除手段によって解除された解除領域をリアルタイムに記憶することにより、最新の行動制限領域を記憶する行動制限領域記憶手段、および
前記行動制限領域記憶手段に記憶されている行動制限領域に基づいて前記仮想３次元空間中に行動制限領域を描画する描画手段を備える、ビデオゲーム装置。
【手続補正２】
【補正対象書類名】明細書
【補正対象項目名】請求項１２
【補正方法】変更
【補正の内容】
【請求項１２】
モニタの表示画面上に仮想３次元空間を表示するためのマップデータを記憶するマップデータ記憶手段、前記仮想３次元空間中にプレイヤキャラクタを表示するためのプレイヤキャラクタデータを記憶するプレイヤキャラクタデータ記憶手段、前記仮想３次元空間中に静止オブジェクトを表示するための静止オブジェクトデータを記憶する静止オブジェクトデータ記憶手段、および前記プレイヤキャラクタデータおよび前記静止オブジェクトデータに従って前記仮想３次元空間中に前記プレイヤキャラクタおよび前記静止オブジェクトを表示するプロセサを備えるビデオゲーム装置をゲーム装置として機能させるゲームプログラムであって、前記プロセサに、
前記マップデータと前記静止オブジェクトデータ上に前記プレイヤキャラクタの行動を限定する行動制限領域を設定する設定ステップ、
前記プレイヤキャラクタの所定の動作に応答して前記設定ステップによって設定された行動制限領域の少なくとも一部を解除する解除ステップ、
前記設定ステップによって設定された行動制限領域をリアルタイムに記憶し、かつ前記解除ステップによって解除された解除領域をリアルタイムに記憶することにより、最新の行動制限領域を記憶する行動制限領域更新ステップ、および
前記行動制限領域更新ステップによって更新された行動制限領域に基づいて前記仮想３次元空間中に行動制限領域を描画する描画ステップ、を実行させるゲームプログラム。
【手続補正３】
【補正対象書類名】明細書
【補正対象項目名】０００７
【補正方法】変更
【補正の内容】
【０００７】
【課題を解決するための手段】
この発明に従ったビデオゲーム装置は、次のものを備える：モニタの表示画面上に仮想３次元空間を表示するためのマップデータを記憶するマップデータ記憶手段（70d：実施例で相当する部分。以下同様）、仮想３次元空間中にプレイヤキャラクタ(76)を表示するためのプレイヤキャラクタデータを記憶するプレイヤキャラクタデータ記憶手段(70a,72a)、仮想３次元空間中に静止オブジェクト(80) を表示するための静止オブジェクトデータを記憶する静止オブジェクトデータ記憶手段(72c,72da)、マップデータと静止オブジェクトデータ上にプレイヤキャラクタの行動を限定する行動制限領域を設定する設定手段(36,70b,S23)、プレイヤキャラクタの所定の動作に応答して設定手段によって設定された行動制限領域の少なくとも一部を解除する解除手段(36,S27)、設定手段によって設定された行動制限領域(82) をリアルタイムに記憶し、かつ解除手段によって解除された解除領域(86)をリアルタイムに記憶することにより、最新の行動制限領域を記憶する行動制限領域記憶手段(72db)、および行動制限領域記憶手段に記憶されている行動制限領域に基づいて仮想３次元空間中に行動制限領域を描画する描画手段(36,42,S8)。


【手続補正４】
【補正対象書類名】明細書
【補正対象項目名】００１８
【補正方法】変更
【補正の内容】
【００１８】
この発明に従ったゲームプログラムは、モニタの表示画面上に仮想３次元空間を表示するためのマップデータを記憶するマップデータ記憶手段(70c)、仮想３次元空間中にプレイヤキャラクタ(76) を表示するためのプレイヤキャラクタデータを記憶するプレイヤキャラクタデータ記憶手段(70a,72a)、仮想３次元空間中に静止オブジェクト(80) を表示するための静止オブジェクトデータを記憶する静止オブジェクトデータ記憶手段(72c,72da)、およびプレイヤキャラクタデータおよび静止オブジェクトデータに従って仮想３次元空間中にプレイヤキャラクタおよび静止オブジェクトを表示するプロセサ(36) を備えるビデオゲーム装置に適用され、プロセサに次のステップを実行させることにより、ゲーム装置として機能させるプログラムであって、マップデータと前記静止オブジェクトデータ上にプレイヤキャラクタの行動を限定する行動制限領域を設定する設定ステップ(S23)、プレイヤキャラクタの所定の動作に応答して設定ステップによって設定された行動制限領域の少なくとも一部を解除する解除ステップ(S27)、設定ステップによって設定された行動制限領域をリアルタイムに記憶し、かつ解除ステップによって解除された解除領域をリアルタイムに記憶することにより、最新の行動制限領域を記憶する行動制限領域更新ステップ(S28)、および行動制限領域更新ステップによって更新された行動制限領域に基づいて仮想３次元空間中に行動制限領域を描画する描画ステップ(S8)を含む。
【手続補正書】
【提出日】平成17年5月2日(2005.5.2)
【手続補正１】
【補正対象書類名】明細書
【補正対象項目名】００２０
【補正方法】変更
【補正の内容】
【００２０】
図６は、本発明装置による後方作業機の上昇作用を示す右側面図である。油圧によって複動油圧シリンダ６のピストンロッド７を縮退すると、ストッパー２３の前端面が前後揺動軸受１６の後端面に当接し、マスト１５を前方に変位させ圧縮コイルスプリング２０を圧縮するとともに、左右のアーム１２、１３をブラケット５に対し枢着１７周りに旋回上昇させて後方作業機２を上昇させる。複動油圧シリンダ６を延伸すると、固定フランジ２１が後方に移動し圧縮コイルスプリング２０が移動フランジ２２を後方に移動させ、移動フランジ２２の後端面が前後揺動軸受１６を後方に移動させるとともに、アーム１２、１３を下降させて後方作業機２を下降させる。
【手続補正書】
【提出日】平成16年9月9日(2004.9.9)
【手続補正１】
【補正対象書類名】明細書
【補正対象項目名】請求項２８
【補正方法】変更
【補正の内容】
【請求項２８】
前記キャニスタ組立体は、集塵容器を含むことを特徴とする請求項２２に記載の真空掃除機。
【手続補正２】
【補正対象書類名】明細書
【補正対象項目名】００１８
【補正方法】変更
【補正の内容】
【００１８】
キャニスタ組立体１８の下方部分に１対の後輪２６（図１には部分的に示されている）が設けられ、ノズル組立体１６に前輪２８が設けられている。これらの車輪２６，２８が、協同して真空掃除機１０をフロアに沿って移動しうるように支持する。真空掃除機１０の収納を便利にするために、キャニスタ組立体１８を図１に示されるように直立位置にロックするための足部ラッチ（図示せず）を設けることができる。足部ラッチ（掛け金）を解放すれば、フロアを清掃するために真空掃除機１０を前後に操作する際キャニスタ組立体１８をノズル組立体１６に対して枢動させることができる。
【手続補正３】
【補正対象書類名】明細書
【補正対象項目名】図面の簡単な説明
【補正方法】変更
【補正の内容】
【図面の簡単な説明】
【図１】
図１は、本発明の教示に従って構成された真空掃除機の透視図である。
【図２】
図２は、攪拌機駆動モータへの電力の印加、従ってノズル組立体の推進方向を制御する制御回路を示す概略ブロック図である。
【図３】
図３は、真空掃除機のノズル組立体の断面図であり、攪拌機と攪拌機駆動装置を示す。
【図３ａ】
図３ａは、攪拌機の詳細断面図である。
【符号の説明】
１０  真空掃除機、縦型真空掃除機
１２  集塵容器
１６  ノズル組立体
１８  キャニスタ組立体
２０  制御ハンドル
２１  柄
２２  ハンドグリップ
２３  前進スイッチ
２４  電源スイッチ
２５  後進スイッチ
２６  後輪
２７  制御器
２８  前輪
２９  リレー
３１  変換器
３３  吸引ファン
３４  吸引ファン駆動モータ、駆動モータ
３５  ノズルハウジング
３６  攪拌機キャビティ
３８  回転攪拌機、攪拌機
４０  攪拌機モータ、攪拌機駆動モータ、駆動モータ
４２  歯車駆動機構
５０  排気ポート
５２  端部キャップ
５４  軸受
５５  短軸
５６  取り付けブロック
５８  スロット
６０  端部キャップ
６２  軸受
６４  攪拌機モータハウジング
６６  取り付けブロック
６８  スロット
７０  駆動軸
７２  歯車歯
７４  軸受
７６  ハブ
７８  遊星歯車組キャリア
８０  ファン
８２  短軸
８４  遊星歯車
８６  環状歯車
８７  ゴム製駆動ブーツ、駆動ブーツ
８８  駆動リング
８９  溝
９１  軸方向リブ
【手続補正４】
【補正対象書類名】図面
【補正対象項目名】図１
【補正方法】変更
【補正の内容】
【図１】
2003325397.tif 000001
【手続補正５】
【補正対象書類名】図面
【補正対象項目名】図３
【補正方法】変更
【補正の内容】
【図３】
2003325397.tif 000002
【手続補正書】
【提出日】平成17年5月12日(2005.5.12)
【手続補正１】
【補正対象書類名】明細書
【補正対象項目名】特許請求の範囲
【補正方法】変更
【補正の内容】
【特許請求の範囲】
【請求項１】
本人出願人による特願２００２−１０９８１３「携帯用書見器」において、
１．書見台１の上部中央にガイド軸３を形成する。
２．支持板２は、書見台１とほぼ同寸の縦横寸法を有する長方形に成り、その短辺の一方にストッパー４を有する。
３．支持板２は、支持板の中央でガイド軸３のまわりに回転し、書見台と直交する位置でスライドを可能とするガイド溝５を有する。
４．ガイド軸３は、書見台と支持板が常に接触しながら摺動するように構成される
以上の構成を特徴とする支持板を有する携帯用書見器。
【手続補正書】
【提出日】平成17年3月16日(2005.3.16)
【手続補正１】
【補正対象書類名】明細書
【補正対象項目名】００１６
【補正方法】変更
【補正の内容】
【００１６】
【発明の実施形態】
以下、本発明の実施例を添付の図面を参照して説明すると、図１〜図６は本発明の第１実施形態を示し、同図に示すように、ゴルフシューズ用補助具１は、ゴルフシューズ101の靴底102の一部に取り付けられる傾斜靴底２とを備える。右足用のゴルフシューズ101を例にして説明すると、図１及び図２に示すように、前記傾斜靴底２は靴底102の一部を覆うように取り付けられ、靴底102の幅方向外側102Ｓを覆い、靴底102の幅方向内側102Ｕを覆うことなく、靴底の幅方向内側102Ｕを露出するように取り付けられる。尚、図中103はゴルフシューズ101の甲部である。また、靴底102を前側部102Ａと踵部102Ｂに区分した場合、傾斜靴底２は前側部102Ａ側に取り付けられる。図中104は、靴底102に設けられた滑り止め突起たるスタッド104であり、該スタッド104は靴底102に固定して設けられたり、螺子などにより着脱可能に設けられたりする。
【手続補正２】
【補正対象書類名】明細書
【補正対象項目名】００２８
【補正方法】変更
【補正の内容】
【００２８】
図７は本発明の第２及び第３実施形態を示し、上記第１実施形態と同一部分に同一符号を付し、その詳細な説明を省略して詳述すると、第２実施形態の着脱手段は、相互に係脱可能な面ファスナー31，31であり、一方の面ファスナー31をカバー体３に裏面に設け、他方の面ファスナー31を甲部103の外面を設けており、面ファスナー31，31により簡単に補助具１を着脱できる。また、第３実施形態の着脱手段は、両面に粘着部を有する粘着テープ32であり、この粘着テープ31をカバー体３に裏面に設けてなり、粘着テープ32により簡単に補助具１を着脱できる。
【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
ポリニトリル化合物に微生物を作用させ、シアノカルボン酸を得る方法において、反応液中のシアノカルボン酸を可溶化状態で固液分離する工程（１）及び反応液中のシアノカルボン酸を不溶化状態で固液分離する工程（２）を含むことにより生成物を分離精製することを特徴とするシアノカルボン酸の製法。
【請求項２】
工程（１）において、反応液中の固形分である菌体および残存ポリニトリル化合物を除去し、液側に生成物シアノカルボン酸を回収することを特徴とする請求項１に記載のシアノカルボン酸の製法。
【請求項３】
工程（１）の反応液のｐＨを５〜９に調整することを特徴とする請求項２に記載のシアノカルボン酸の製法。
【請求項４】
工程（２）において、固形分として生成するシアノカルボン酸を回収することを特徴とする請求項１ないし３のいずれかに記載のシアノカルボン酸の製法。
【請求項５】
工程（２）の反応液のｐＨを５以下に調整することを特徴とする請求項４に記載のシアノカルボン酸の製法。
【請求項６】
工程（１）、ついで工程（２）の順に実施することを特徴とする請求項１ないし５のいずれかに記載のシアノカルボン酸の製法。
【請求項７】
反応から分離精製に至る工程を、水系で実施することを特徴とする請求項１ないし６のいずれかに記載のシアノカルボン酸の製法。
【請求項８】
Rhodococcus属微生物を用いることを特徴とする、請求項１ないし７のいずれかに記載のシアノカルボン酸の製法。
【請求項９】
工程（１）に、膜濾過または遠心分離を用いることを特徴とする請求項１ないし８のいずれかに記載のシアノカルボン酸の製法。
【請求項１０】
膜濾過を用い、濾過膜に限外濾過膜及び／または精密濾過膜を用いることを特徴とする請求項９に記載のシアノカルボン酸の製法。
【請求項１１】
膜の分画サイズが０．５μm以下であることを特徴とする請求項９または１０に記載のシアノカルボン酸の製法。
【請求項１２】
クロスフロー型の限外濾過膜及び／または精密濾過膜を用いることを特徴とする請求項９ないし１１のいずれかに記載のシアノカルボン酸の製法。
【請求項１３】
工程（１）に、遠心分離を用いることを特徴とする請求項１ないし８のいずれかに記載のシアノカルボン酸の製法。
【請求項１４】
ポリニトリル化合物を反応液中に固形で供することを特徴とする請求項１ないし１３のいずれかに記載のシアノカルボン酸の製法。
【請求項１５】
ポリニトリル化合物が、粒径３００μm以下の粉体であることを特徴とする請求項１４に記載のシアノカルボン酸の製法。
【請求項１６】
工程（２）に、遠心濾過、フィルタープレス濾過および／または精密濾過を用いることを特徴とする請求項１ないし１５のいずれかに記載のシアノカルボン酸の製法。
【請求項１７】
工程（２）において、得られた固形分に、水と酸性水を供給し不純物を除去することを特徴とする請求項１ないし１６のいずれかに記載のシアノカルボン酸の製法。
【請求項１８】
工程（２）の後、再度固液分離を行い、不純物を除去することを特徴とする請求項１ないし１７のいずれかに記載のシアノカルボン酸の製法。
【請求項１９】
工程（２）により回収したシアノ安息香酸の含水ケーキを、振動乾燥機および／または撹拌乾燥機を用い、乾燥と粉砕を行うことを特徴とする請求項１ないし１８のいずれかに記載のシアノカルボン酸の製法。
【請求項２０】
シアノカルボン酸の含水率が１．０質量％以下であり、粒度が５００μｍ以下であることを特徴とする請求項１９に記載のシアノカルボン酸の製法。
【請求項２１】
工程（１）により回収した反応液中の微生物菌体を再使用することを特徴とする請求項１ないし２０のいずれかに記載のシアノカルボン酸の製法。
【請求項２２】
工程（１）により回収した反応液中の残存するポリニトリル化合物を再使用することを特徴とする請求項１ないし２１のいずれかに記載のシアノカルボン酸の製法。
【請求項２３】
反応液の一部を、連続または断続的に工程（１）に供することにより濾液側に生成物を回収するとともに、濾過残分を再希釈し、反応と生成物の回収を、並行または交互に実施することを特徴とする請求項１ないし２２のいずれかに記載のシアノカルボン酸の製法。
【請求項２４】
ポリニトリル化合物が、化学式（Ｉ）
【化１】
2003325194.tif 000001
[式中、Ｒは２価の、炭素数１〜８のアルキル基、アリール基、アラルキル基（一方はアラルキル基のアリール環に結合手を有していてもよい。）または複素環基を表し、これらは１個ないし複数のハロゲン、水酸基、アミノ基、シアノ基、または炭素数１〜８のアルキル基で置換されていてもよい。]に示す化合物であり、シアノカルボン酸が、対応する化学式（ＩＩ）
【化２】
2003325194.tif 000002
（式中、Ｒは、上記Ｒと同じ意味を表す。）に示す化合物であることを特徴とする請求項１ないし２３のいずれかに記載のシアノカルボン酸の製法。
【請求項２５】
分離精製して得られるシアノカルボン酸の純度が９９．０質量％以上であることを特徴とする請求項１ないし２４のいずれかに記載のシアノカルボン酸の製法。
【請求項２６】
ポリニトリル化合物からシアノカルボン酸を製造する方法において、全系水系で行うことを特徴とするシアノカルボン酸の製法。
【請求項２７】
請求項１ないし２６のいずれか１項に記載の製法により得られるシアノカルボン酸。
【手続補正書】
【提出日】平成17年4月6日(2005.4.6)
【手続補正１】
【補正対象書類名】明細書
【補正対象項目名】００３４
【補正方法】変更
【補正の内容】
【００３４】
【実施例】
以下の実施例により、本発明を更に詳しく説明する。
本健康ドリンクの水溶性核蛋白の原料である水溶性核蛋白は、以下の如く製造した。
＜水溶性核蛋白の製造＞
冷凍した鮭白子２５００ｇを解凍し、皮、筋、血管等を除去した後、血抜き及び水洗を行った。その後、該鮭白子を水１０００ｍｌと共に粉砕して、プロテアーゼ（ＮＯＶＯ社製）２．５ｇを添加し、攪拌しながら４４〜４７℃、ｐＨ６．０〜６．３で４時間酵素処理を行った。
続いて、処理後の液を７０℃に昇温し、ヌクレアーゼ（アマノ社製）２．５ｇを添加し、攪拌しながら、ｐＨ５．０〜５．５で４時間酵素分解処理を行った。
処理後の液を８５℃に昇温して、残存するプロテアーゼ及びヌクレアーゼを失活させた。得られた生成液を４０〜５０℃に冷却し、これを連続的にデカンターに送液して清澄液を分離し噴霧乾燥して、粉体の形態で、低分子化核蛋白である水溶性核蛋白を得た。
本健康ドリンクの水溶性核蛋白は、この水溶性核蛋白をそのまま、又は必要であれば更に精製して使用することができる。
【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】
被検体に印加する静磁場を発生する静磁場発生手段と、前記被検体に印加する互いに異なる３方向の傾斜磁場を発生する傾斜磁場発生手段と、前記被検体に印加する高周波磁場パルスを発生する高周波磁場パルス発生手段と、前記被検体から発生する核磁気共鳴信号を検出する信号検出手段と、該信号検出手段により得られた核磁気共鳴信号に基づいて画像を再構成する信号処理手段と、該信号処理手段により再構成された画像の記憶手段と、前記信号処理手段により再構成された画像又は前記記憶手段 に記憶された画像を表示する表示手段と、入力手段と、前記各手段を制御して撮像シーケンスを実行する制御手段を含む磁気共鳴撮像装置において、
前記制御手段は、撮像部位の動態信号を取り込み、該動態信号に適宜周期的な複数時相を割り付け、該各時相に対応付けて前記撮像シーケンスを実行するとともに、撮像された画像に前記時相情報を関連付けて前記記憶手段に記憶させ、前記入力手段により入力される特定時相に対応する画像を読み出して前記表示手段に表示させることを特徴とする磁気共鳴撮像装置。
【請求項２】
前記動態信号として心電波形を用いる場合において、前記制御手段は心電図Ｒ波を感知した時から次の心電図Ｒ波を感知するまでの時間を一定時間ごとに区切って前記時相を設定することを特徴とする請求項１に記載の磁気共鳴撮像装置。
【請求項３】
前記制御手段は、前記撮像シーケンスをリアルタイムに実行する場合において、リアルタイムに撮像される画像のうち、同一時相に対応する画像を前記表示手段に表示して前記撮像部位の表示画像を更新することを特徴とする請求項１又は２に記載の磁気共鳴撮像装置。
【請求項４】
前記動態信号として呼吸動情報を用いる場合において、前記制御手段は、前記呼吸動情報に基づいて設定される前記時相を撮像画像に関連付けることを特徴とする請求項１乃至３のいずれかに記載の磁気共鳴撮像装置。
【請求項５】
前記表示手段は、前記撮像画像と、該撮像画像に関連付けられた時相と、該撮像画像の撮像面の位置および向きとを同一画面に同時に表示してなることを特徴とする請求項１乃至４のいずれかに記載の磁気共鳴撮像装置。
【手続補正２】
【補正対象書類名】明細書
【補正対象項目名】００１１
【補正方法】変更
【補正の内容】
【００１１】
ここで、動態信号として心電波形を例に説明したが、動態信号はこれに限らず、呼吸による撮像部位の動きを表す信号等、撮像部位に応じて適宜異なる動態信号を用いる。例えば、動態信号として呼吸動情報を用いる場合、制御手段は、呼吸動情報に基づいて設定される時相を撮像画像に関連付けることができる。また、他の部位に関する動態信号を利用して撮像部位の表示位置をリアルタイムに補正することにより、撮像部位の動きに応じた表示位置のずれを少なくすることができるので、あたかも動きの止まった撮像部位の画像を表示することができる。また、制御手段については、撮像シーケンスをリアルタイムに実行する場合において、リアルタイムに撮像される画像のうち、同一時相に対応する画像を表示手段に表示して撮像部位の表示画像を更新することができる。また、表示手段については、撮像画像と、その撮像画像に関連付けられた時相と、その撮像画像の撮像面の位置および向きとを同一画面に同時に表示することができる。
【手続補正書】
【提出日】平成17年5月12日(2005.5.12)
【手続補正１】
【補正対象書類名】明細書
【補正対象項目名】特許請求の範囲
【補正方法】変更
【補正の内容】
【特許請求の範囲】
【請求項１】
短い繰り返し時間(ＴＲ)でシーケンスを繰り返し、被検体の磁化が過渡状態を経て定常状態に達した後に、所定の位相エンコード量を印加してエコー信号を計測して画像形成に供するｋ空間データを取得する計測制御手段と、前記ｋ空間データから画像を再構成する信号処理手段とを有した磁気共鳴イメージング装置において、
前記計測制御手段は、前記過渡状態のエコー信号が前記ｋ空間の高域に配置されるように前記位相エンコード量を制御して前記過渡状態のエコー信号も計測し、
前記信号処理手段は、前記定常状態のエコー信号と前記過渡状態のエコー信号とから前記画像を再構成することを特徴とする磁気共鳴イメージング装置。
【請求項２】
前記被検体の心臓の拍動を検出する手段を備え、前記計測制御手段は、前記エコー信号の計測を、心周期を幾つかに分割して設定された時相毎に行い、
前記信号処理手段は、各時相で取得したエコー信号を複数の心周期分集めて画像を再構成することを特徴とする請求項１記載の磁気共鳴イメージング装置。
【請求項３】
前記計測制御手段は、前記ｋ空間を位相エンコード方向に複数の領域に分割し、１の前記心時相で計測した複数のエコー信号を一の前記領域に全て配置することを特徴とする請求項２記載の磁気共鳴イメージング装置。
【請求項４】
前記計測制御手段は、前記ｋ空間を位相エンコード方向に複数の領域に分割し、１の前記心時相で計測した複数のエコー信号を複数の前記領域に分割して配置することを特徴とする請求項２記載の磁気共鳴イメージング装置。
【請求項５】
前記各時相毎にプリパレーションパルスが挿入されていることを特徴とする請求項１乃至４のいずれかに記載の磁気共鳴イメージング装置。
【手続補正２】
【補正対象書類名】明細書
【補正対象項目名】００１３
【補正方法】変更
【補正の内容】
【００１３】
【課題を解決するための手段】
上記課題を解決するために、本発明は、取得するエコー信号の位相エンコード順に工夫を凝らしている。すなわち、本発明のMRI装置では、核スピンの励起を開始してから磁化が過渡状態となったならばエコー信号の計測を開始するものとし、特に過渡状態入った直後に計測されるエコー信号にはそれらがk空間の端部(高域)に配置されるように位相エンコード量を付与する。そして、過渡状態が定常状態へ向かって移行しつつある過渡状態期間に計測されるエコー信号には前記計測開始直後のエコー信号よりもk空間の中央に近い領域へ順次配置されるように位相エンコード量を付与する。最終的に定常状態に達したエコー信号群の少なくとも一部は、それらがk空間の中央付近(低域)の領域に配置されるように位相エンコード量を付与する。
【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
被検体に静磁場とＲＦパルスと傾斜磁場とを印加する撮影シーケンスを実行して、前記被検体から発生する核磁気共鳴信号を受信し、該受信した核磁気共鳴信号に基づいて断層像を生成して表示する磁気共鳴撮影装置において、
所定の位置に配置された少なくとも２つの発光体または反射体を有する指示部材と、
該指示部材の発光体または反射体からの光を検出する少なくとも２つの光学センサと、
該光学センサにより検出された光に基づいて、前記指示部材の発光体または反射体の位置をそれぞれ算出する算出手段と、
前記指示部材の発光体または反射体の位置を磁気共鳴撮影装置の座標系に変換する座標変換手段と、
該座標変換手段により変換された前記指示部材の発光体または反射体の位置から、断層面を撮影する位置に前記撮影シーケンスを自動的に設定する手段を備え、
前記光学センサを核磁気共鳴装置の表面に取り付けることを特徴とする磁気共鳴撮影装置。
【請求項２】
前記請求項１の核磁気共鳴装置において、１以上の柱部を有する磁気回路を備えた開放型であって、前記光学センサを前記柱部の少なくとも１つの表面に取り付けることを特徴とする核磁気共鳴装置。
【請求項３】
前記請求項１または２の核磁気共鳴装置において、前記光学センサの少なくとも３つ取りつけ、そのうちの任意の複数の光学センサを使用することを特徴とする核磁気共鳴装置。
【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
被検体から発生する磁気共鳴信号を受信する複数のＲＦ受信コイルと、
ｋ空間の位相エンコードステップを間引いて、前記ＲＦ受信コイル毎に間引かれたｋ空間データを取得する計測制御手段と、
前記ＲＦ受信コイル毎に取得された前記間引かれたｋ空間データと前記ＲＦ受信コイル毎の感度分布を用いて、折り返しの無い１枚の画像を再構成する信号処理手段とを備えた磁気共鳴イメージング装置において、
前記計測制御手段は、前記ＲＦ受信コイル毎に前記位相エンコードステップの間引き方の異なるｋ空間データを２以上取得し、
前記信号処理手段は、前記間引き方の異なるｋ空間データ毎に前記画像を合成することを特徴とする磁気共鳴イメージング装置。
【請求項２】
請求項１に記載の磁気共鳴イメージング装置において、
前記信号処理手段は、前記２以上の間引き方の異なるｋ空間データのうちの少なくとも２つを用いて、前記ＲＦ受信コイルの感度分布を生成することを特徴とする磁気共鳴イメージング装置。
【請求項３】
請求項２に記載の磁気共鳴イメージング装置において、
前記信号処理手段は、前記ｋ空間データの低周波領域のデータを用いて、前記ＲＦ受信コイルの感度分布を生成することを特徴とする磁気共鳴イメージング装置。
【請求項４】
請求項１乃至３のいずれかに記載の磁気共鳴イメージング装置において、
前記計測制御手段は、互いに異なる位相エンコードステップを間引くことによって、前記２以上の間引き方の異なるｋ空間データを取得することを特徴とする磁気共鳴イメージング装置。
【請求項５】
請求項４に記載の磁気共鳴イメージング装置において、
前記計測制御手段は、奇数番目の位相エンコードステップを間引いたｋ空間データと、偶数番目の位相エンコードステップを間引いたｋ空間データとを取得することを特徴とする磁気共鳴イメージング装置。
【請求項６】
請求項１乃至４のいずれかに記載の磁気共鳴イメージング装置において、
前記計測制御手段は、高周波領域における位相エンコードステップの間隔を、低周波領域における位相エンコードステップの間隔よりも大きくして、前記２以上の間引き方の異なるｋ空間データを取得することを特徴とする磁気共鳴イメージング装置。
【請求項７】
請求項１乃至６のいずれかに記載の磁気共鳴イメージング装置において、
前記計測制御手段は、前記２以上に間引き方の異なるｋ空間データを交互に繰り返し取得し、
前記信号処理手段は、前記間引き方の異なるｋ空間データが取得される度に、前記画像を再構成することを特徴とする磁気共鳴イメージング装置。
【請求項８】
請求項１乃至６のいずれかに記載の磁気共鳴イメージング装置において、
前記被検体の心臓の拍動を検出する手段を備え、
前記計測制御手段は、前記拍動の一周期を複数の時相に分割して、前記時相ごとに前記間引き方の異なるｋ空間データを取得することを特徴とする磁気共鳴イメージング装置。
【請求項９】
被検体から発生する磁気共鳴信号を受信する複数のＲＦ受信コイルと、
ｋ空間の位相エンコードステップを間引いて、前記ＲＦ受信コイル毎に間引かれたｋ空間データを取得する計測制御手段と、
前記ＲＦ受信コイル毎に取得された前記ｋ空間データを用いて折り返しのある画像を生成するとともに、前記ＲＦ受信コイル毎の感度分布を用いて前記折り返しを除去しつつ１枚の画像を合成する信号処理手段とを備えた磁気共鳴イメージング装置において、
前記計測制御手段は、前記ＲＦ受信コイル毎に前記位相エンコードステップの間引き方の異なるｋ空間データを２以上取得し、
前記信号処理手段は、前記2以上の間引き方の異なるｋ空間データのうちの少なくとも2つを用いて、前記ＲＦ受信コイル毎の感度分布を生成するとともに、前記間引き方の異なるｋ空間データ毎に前記画像を合成することを特徴とする磁気共鳴イメージング装置。
【手続補正２】
【補正対象書類名】明細書
【補正対象項目名】０００６
【補正方法】変更
【補正の内容】
【０００６】
【課題を解決するための手段】
本発明は、上記課題を解決するため、被検体から発生する磁気共鳴信号を受信する複数のＲＦ受信コイルと、ｋ空間の位相エンコードステップを間引いて、前記ＲＦ受信コイル毎に間引かれたｋ空間データを取得する計測制御手段と、前記ＲＦ受信コイル毎に取得された前記間引かれたｋ空間データと前記ＲＦ受信コイル毎の感度分布を用いて、折り返しの無い１枚の画像を再構成する信号処理手段とを備えた磁気共鳴イメージング装置を対象とする。
【手続補正３】
【補正対象書類名】明細書
【補正対象項目名】０００７
【補正方法】変更
【補正の内容】
【０００７】
特に、計測制御手段は、ＲＦ受信コイル毎に位相エンコードステップの間引き方の異なるｋ空間データを２以上取得し、信号処理手段は、間引き方の異なるｋ空間データ毎に画像を再構成することを特徴とする。この場合において、信号処理手段は、２以上の間引き方の異なるｋ空間データのうちの少なくとも２つを用いて、ＲＦ受信コイルの感度分布を生成することができる。又は、信号処理手段は、ｋ空間データの低周波領域のデータを用いて、ＲＦ受信コイルの感度分布を生成することができる。さらに、計測制御手段は、互いに異なる位相エンコードステップを間引くことによって、２以上の間引き方の異なるｋ空間データを取得することができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、本発明のＭＲＩ装置は、互いに異なる位相エンコードステップを間引いた複数のシーケンスを実行して取得された複数の計測データのうち、少なくともｋ空間の中央領域の計測データを用いて、ｋ空間の中央領域を計測データで埋めて感度画像を生成し、この感度画像に基づいてＲＦ受信コイルの感度分布データを生成することができる。このように、感度分布データを生成することにより、感度分布データを取得する前計測シーケンスの繰り返し回数を低減してシーケンスの実行時間を短くし、ＭＲＩ装置の撮影時間を短縮することができる。
【手続補正書】
【提出日】平成17年5月11日(2005.5.11)
【手続補正１】
【補正対象書類名】明細書
【補正対象項目名】特許請求の範囲
【補正方法】変更
【補正の内容】
【特許請求の範囲】
【請求項１】
被検体に核磁気共鳴を生じさせる磁場印加手段と、前記被検体からの核磁気共鳴信号を受信する受信手段と、前記受信手段が受信した核磁気共鳴信号を用いて画像を再構成する信号処理手段とを備えた磁気共鳴イメージング装置において、
前記受信手段は、前記被検体の近傍に配置される受信コイルと、前記被検体に挿入されるカテーテル内に配置され、互いに異なる空間に感度領域を有する複数のＲＦアンテナとから構成され、前記信号処理手段は、前記受信コイル及び複数のＲＦアンテナからの信号をそれぞれ信号処理する複数の信号処理部と、前記信号処理部で得られた画像を合成する画像合成部とを備えたことを特徴とする磁気共鳴イメージング装置。
【請求項２】
前記信号処理部は、前記受信コイルからの信号を処理して得られた画像と、前記複数のＲＦアンテナから得られた画像とに、互いに異なる色調を付与することを特徴とする請求項１記載の磁気共鳴イメージング装置。
【請求項３】
前記画像合成部は、前記受信コイルからの信号を処理して得られた画像と、前記複数のＲＦアンテナから得られた画像とを、重み付けして合成することを特徴とする請求項１又は２に記載の磁気共鳴イメージング装置。
【請求項４】
被検体に核磁気共鳴を生じさせる磁場印加手段と、前記被検体からの核磁気共鳴信号を受信する受信手段と、前記受信手段が受信した核磁気共鳴信号を用いて画像を再構成する信号処理手段とを備えた磁気共鳴イメージング装置において、
前記受信手段は、前記被検体に挿入されるカテーテル内に、互いに電気的に非接続状態で且つ相互結合が実質的にない状態で配置され、異なる空間に感度領域を有する複数のＲＦアンテナを備え、前記信号処理手段は、前記複数のＲＦアンテナからの信号をそれぞれ信号処理する複数の信号処理部と、前記信号処理部で得られた画像を合成する画像合成部とを備えたことを特徴とする磁気共鳴イメージング装置。
【請求項５】
前記複数のＲＦアンテナは、カテーテルの長手方向の異なる位置に配置されたことを特徴とする請求項１ないし４いずれか１項に記載の磁気共鳴イメージング装置。
【請求項６】
前記複数のＲＦアンテナは、各ＲＦアンテナ間にＲＦシールド部材を介在させて、カテーテルの長手方向のほぼ同一位置に並列に配置されたことを特徴とする請求項１ないし４いずれか１項に記載の磁気共鳴イメージング装置。
【請求項７】
前記信号処理部は、前記複数のＲＦアンテナから得られた画像から、前記複数のＲＦアンテナの位置を検出する位置計算手段を備えたことを特徴とする請求項５に記載の磁気共鳴イメージング装置。
【請求項８】
前記信号処理部は、ダイナミック撮像において、前記位置計算手段によって計算された複数のＲＦアンテナの位置の変化がしきい値以上のときに、各ＲＦアンテナからの信号合成に用いる感度分布情報を更新することを特徴とする請求項７に記載の磁気共鳴イメージング装置。
【請求項９】
前記磁場印加手段は、前記被検体の撮像断面を選択する傾斜磁場を発生する傾斜磁場発生手段を含み、
前記傾斜磁場発生手段は、前記位置計算手段によって計算された複数のＲＦアンテナの位置に基き、前記カーテルを含む面を撮像断面とすることを特徴とする請求項７に記載の磁気共鳴イメージング装置。
【手続補正書】
【提出日】平成17年5月11日(2005.5.11)
【手続補正１】
【補正対象書類名】明細書
【補正対象項目名】特許請求の範囲
【補正方法】変更
【補正の内容】
【特許請求の範囲】
【請求項１】
カテーテルと、前記カテーテル内に、互いに電気的に非接続状態で且つ相互結合が実質的にない状態で配置された複数のアンテナと、複数のアンテナをそれぞれ別個の信号検出回路に接続する複数の信号線とを備え、前記複数のアンテナはそれぞれ異なる空間からの信号を検出することを特徴とするカテーテルＲＦアンテナ。
【請求項２】
前記複数のアンテナは、前記カテーテルの長手方向に対しずれた位置に配置されていることを特徴とする請求項１記載のカテーテルＲＦアンテナ。
【請求項３】
前記複数のアンテナは、前記カテーテルの長手方向のほぼ同一位置にＲＦシールド部材を介して並列に配置されていることを特徴とする請求項１記載のカテーテルＲＦアンテナ。
【請求項４】
前記カテーテルは、長手方向に沿って複数の空洞を有するチューブからなり、前記空洞内に前記アンテナ及びそれに接続された信号線が収納されていることを特徴とする請求項１ないし３のいずれか１項記載のカテーテルＲＦアンテナ。
【請求項５】
前記カテーテルは、長手方向に沿って複数の空洞を有するチューブからなり、前記複数の空洞のうちの１の空洞内に前記複数のアンテナ及びそれに接続された信号線が収納されていることを特徴とする請求項４記載のカテーテルＲＦアンテナ。
【請求項６】
前記カテーテルは、長手方向に沿って複数の空洞を有するチューブからなり、前記複数のアンテナ及びそれに接続された信号線はそれぞれ前記複数の空洞のうち異なる空洞に収納されていることを特徴とする請求項４記載のカテーテルＲＦアンテナ。
【請求項７】
前記複数のアンテナ間の電気的相互結合を除去するためのデカップリング手段を備えたことを特徴とする請求項１ないし６いずれか１項記載のカテーテルＲＦアンテナ。
【請求項８】
前記デカップリング手段がインダクティグカップラー法に基く回路であることを特徴とする請求項７記載のカテーテルＲＦアンテナ。
【請求項９】
前記デカップリング手段が低インピーダンス法に基く回路であることを特徴とする請求項７記載のカテーテルＲＦアンテナ。
【請求項１０】
前記複数のアンテナは、ダイポールアンテナであることを特徴とする請求項１ないし９いずれか１項記載のカテーテルＲＦアンテナ。
【手続補正書】
【提出日】平成16年12月6日(2004.12.6)
【手続補正１】
【補正対象書類名】明細書
【補正対象項目名】請求項１
【補正方法】変更
【補正の内容】
【請求項１】
内視鏡と、
前記内視鏡が観察する体腔内に通常観察用の光を照射可能な通常観察用光源と、
前記体腔内の明るさに応じて、前記体腔内に照射される通常観察用の光の光量を自動的に変更する光量変更手段と、
前記内視鏡が観察する体腔内に励起光を照射可能な蛍光観察用光源と、
前記光量変更手段の光量変更動作を監視する監視手段と
前記監視手段と前記蛍光観察用光源とを制御する制御手段と、
を有し、
前記制御手段は、
前記蛍光観察用光源の消灯時に前記光量変更手段が第１の時間以上連続して光量変更動作を行うと、前記蛍光観察用光源を点灯し、
前記蛍光観察用光源の点灯時に前記光量変更手段が光量変更動作を行っていない状態が第２の時間以上続くと、前記蛍光観察用光源を消灯する、
ことを特徴とする、自家蛍光を用いた診断システム。
【手続補正２】
【補正対象書類名】明細書
【補正対象項目名】請求項４
【補正方法】変更
【補正の内容】
【請求項４】
内視鏡が観察する体腔内に励起光を照射可能な蛍光観察用光源の消灯時に、前記体腔内の明るさに応じて前記体腔内に照射される通常観察用の光の光量を自動的に変更する光量変更手段が第１の時間以上連続して光量変更動作を行うと、前記蛍光観察用光源を点灯し、
前記蛍光観察用光源の点灯時に前記光量変更手段が光量変更動作を行っていない状態が第２の時間以上続くと、前記蛍光観察用光源を消灯する、
ことを特徴とする、自家蛍光を用いた診断方法。
【手続補正書】
【提出日】平成17年5月2日(2005.5.2)
【手続補正１】
【補正対象書類名】明細書
【補正対象項目名】特許請求の範囲
【補正方法】変更
【補正の内容】
【特許請求の範囲】
【請求項１】
体内で検査・治療・処置などを行う医療用カプセル本体と、その周囲で回転磁界を発生する磁界発生部とを有するカプセル型医療装置において、
前記磁界発生部が発生した回転磁界を受け、前記カプセル本体の支持部に対して回転しながら移動可能な移動体をカプセル本体内部に具備したことを特徴とするカプセル型医療装置。
【請求項２】
前記カプセル本体内に、特定部位におけるカプセル本体内へのサンプル採取、あるいは特定部位への薬剤等の放出を行う開口部と、開閉弁と、収納室とを具備し、
前記移動体の前後への移動により、前記開閉弁の開閉を外部から制御することを特徴とする請求項１記載のカプセル型医療装置。
【請求項３】
前記収納室に、加圧気体と共に薬剤を収納したことを特徴とする請求項２記載のカプセル型医療装置。
【請求項４】
前記カプセル本体に、膨張・収縮可能なバルーンを具備し、 前記移動体の移動により、特定部において前記バルーンの膨張・収縮を外部から制御することを特徴とする請求項１記載のカプセル型医療装置。
【請求項５】
前記バルーンを膨張させるための発泡剤を前記カプセル本体内に設けたことを特徴とする請求項４記載のカプセル型医療装置。
【請求項６】
前記カプセル本体に、処置具などのマニピュレータを具備し、 前記移動体の移動により、特定部位において前記マニピュレータの出没・回転または開閉操作を外部から制御することを特徴とする請求項１，２，４のいづれか一つに記載のカプセル型医療装置。
【請求項７】
前記カプセル本体内に、撮像用のレンズを設け、前記移動体の移動により、前記レンズを移動させることを特徴とする請求項１から６のいづれか一つに記載のカプセル型医療装置。
【請求項８】
前記移動体を突き当て停止させるストッパを前記移動体に設けたことを特徴とする請求項１から７のいづれか一つに記載のカプセル型医療装置。
【手続補正２】
【補正対象書類名】明細書
【補正対象項目名】０００８
【補正方法】変更
【補正の内容】
【０００８】
【課題を解決するための手段】
体内で検査・治療・処置などを行う医療用カプセル本体と、その周囲で回転磁界を発生する磁界発生部とを有するカプセル型医療装置において、
前記磁界発生部が発生した回転磁界を受け、前記カプセル本体の支持部に対して回転しながら移動可能な移動体をカプセル本体内部に具備したことにより、電気的な配線のない単純な構成で、所望の部位においてカプセルの開口部栓の開閉や、処置具などのマニュピュレーターの出没・回転・開閉などの操作が外部により行えるようにしている。
【手続補正３】
【補正対象書類名】明細書
【補正対象項目名】００５４
【補正方法】変更
【補正の内容】
【００５４】
また、カプセル３に内蔵する磁石は永久磁石に限らず、コイルからなる電磁石でも良い。また、内蔵した電池３６等の電源からの電流によって磁力を発生させても良い。また、コンデンサ等を内蔵してそのコンデンサ等に一次的に蓄積した電力でコイルを磁石化させる方法でも良い。
【手続補正４】
【補正対象書類名】明細書
【補正対象項目名】０１３６
【補正方法】変更
【補正の内容】
【０１３６】
次に本実施の形態の作用を説明する。
目的部位まで外部回転磁界発生装置１８５による回転磁界によりカプセル本体１８７の外周に装着した円筒状の永久磁石２００を回転させることで、これと一体となった螺旋状部材１８８及びカプセル本体１８７を回転させると、螺旋状凹凸部１９８と消化管１８３内壁の一部が接触して回転しながら推進する。
【手続補正書】
【提出日】平成16年7月26日(2004.7.26)
【手続補正１】
【補正対象書類名】明細書
【補正対象項目名】請求項１
【補正方法】変更
【補正の内容】
【請求項１】
集塵ケースで形成された集塵室と該集塵室の空気を吸引する電動送風機を備えた電気掃除機において、
商用交流電源の交流を直流に変換して出力する直流電源装置と、
該直流電源装置から出力された直流を蓄電する蓄電手段と、
前記直流電源装置と前記蓄電手段との間に設けられたスイッチ手段と、
該スイッチ手段の開閉に応じて前記直流電源装置又は前記蓄電手段に接続され、前記集塵室を照射する殺菌用ランプと、
商用交流電源の交流電圧が前記直流電源装置の入力側に印加されている交流電圧を検出して電圧検出信号を出力する停電検出手段と、
該停電検出手段が検出した電圧検出信号を受けて前記スイッチ手段をオンさせ、該該電圧検出信号を受けないときは前記スイッチ手段をオフさせて前記殺菌用ランプの点灯制御を行う制御部と、
を備えたことを特徴とする電気掃除機。
【手続補正書】
【提出日】平成16年7月28日(2004.7.28)
【手続補正１】
【補正対象書類名】明細書
【補正対象項目名】請求項１
【補正方法】変更
【補正の内容】
【請求項１】
洗浄槽の下部に配置され、洗浄槽の底部に貯留した水を、汚れが付着した食器類に噴射して前記水に不純物を含ませる回転ノズルと、
前記洗浄槽の底部に貯留し不純物を含んだ水を、電気分解して前記洗浄槽に供給する電気分解装置と、
前記電気分解装置により電気分解され、前記洗浄槽の底部に貯留した電気分解水を加熱し、蒸気化して食器類にかける手段と
を備えたことを特徴とする食器洗浄機。
【手続補正２】
【補正対象書類名】明細書
【補正対象項目名】０００５
【補正方法】変更
【補正の内容】
【０００５】
【課題を解決するための手段】
（１）本発明の請求項１に係る食器洗浄機は、洗浄槽の下部に配置され、洗浄槽の底部に貯留した水を、汚れが付着した食器類に噴射して前記水に不純物を含ませる回転ノズルと、洗浄槽の底部に貯留し不純物を含んだ水を、電気分解して洗浄槽に供給する電気分解装置と、電気分解装置により電気分解され、洗浄槽の底部に貯留した電気分解水を加熱し、蒸気化して食器類にかける手段とを備えたものである。
【手続補正３】
【補正対象書類名】明細書
【補正対象項目名】００４７
【補正方法】変更
【補正の内容】
【００４７】
【発明の効果】
（１）本発明の請求項１に係る食器洗浄機によれば、回転ノズルにより洗浄槽の底部に貯留した水を汚れが付着した食器類に噴射して水に不純物を含ませ、その不純物を含んだ水を電気分解装置により電気分解し、電気分解された水を加熱し、蒸気化して食器類にかけるようにしたので、不純物が食塩の代替物として、電気分解の助成剤として機能し、その結果、食塩を添加しなくとも、電気分解水を効率良く生成することが可能になっている。そして、電気分解された水による洗浄効果等とともに蒸気化したことにより食器類の汚れが落ち易くなっている。
【手続補正書】
【提出日】平成16年11月8日(2004.11.8)
【手続補正１】
【補正対象書類名】明細書
【補正対象項目名】請求項１
【補正方法】変更
【補正の内容】
【請求項１】
洗浄槽と、この洗浄槽の内部に食器を配列する食器かごと、洗浄槽の内部に配列された食器を洗浄する洗浄機構とを具備し、
前記食器かごを、上下２段に、且つそのそれぞれが独立して出し入れされるように設けると共に、
上段の食器かごを、これの出し入れのためのレールとスライド用部材との上下の段を異ならせる組み合わせによる高さ位置変更手段により、高さ位置変更可能に設けたことを特徴とする食器洗浄機。
【手続補正２】
【補正対象書類名】明細書
【補正対象項目名】０００６
【補正方法】変更
【補正の内容】
【０００６】
【課題を解決するための手段】
上記目的を達成するために、本発明の食器洗浄機は、洗浄槽と、この洗浄槽の内部に食器を配列する食器かごと、洗浄槽の内部に配列された食器を洗浄する洗浄機構とを具備し、前記食器かごを、上下２段に、且つそのそれぞれが独立して出し入れされるように設けると共に、上段の食器かごを、これの出し入れのためのレールとスライド用部材との上下の段を異ならせる組み合わせによる高さ位置変更手段により、高さ位置変更可能に設けたことを特徴とする（請求項１の発明）。
【手続補正３】
【補正対象書類名】明細書
【補正対象項目名】００４８
【補正方法】変更
【補正の内容】
【００４８】
又、上段の食器かご２７の段違い形状は、左右が上述とは逆であっても良い。
そのほか、本発明は上記し且つ図面に示した実施例にのみ限定されるものではなく、特に、食器の洗浄方式は噴水方式に限られず、食器を水中に浸漬して生成する水流により洗浄するようなものであっても良いし、更に、洗浄槽１９は食器出入口２０を前面以外、例えば上面に有するものであっても良いなど、要旨を逸脱しない範囲内で適宜変更して実施し得る。
【手続補正４】
【補正対象書類名】明細書
【補正対象項目名】００４９
【補正方法】変更
【補正の内容】
【００４９】
【発明の効果】
以上説明したように、本発明の食器洗浄機によれば、主として、洗浄槽の内部に食器を配列する食器かごを、上下２段に、且つそのそれぞれが独立して出し入れされるように設けると共に、上段の食器かごを、これの出し入れのためのレールとスライド用部材との上下の段を異ならせる組み合わせによる高さ位置変更手段により、高さ位置変更可能に設けたことにより、食器かごからの食器の取出し性や、食器を配列した食器かごの取出し性を良くできると共に、大きな食器や調理器具の配列性をも良くすることができる。
【手続補正５】
【補正対象書類名】明細書
【補正対象項目名】符号の説明
【補正方法】変更
【補正の内容】
【符号の説明】
１９は洗浄槽、２６は下段の食器かご、２６ｃは食器支え（皿収納部分）、２７は上段の食器かご、２７ａは上段の食器かごの左側部（低い側）、２７ｂは上段の食器かごの右側部（高い側）、３７は洗浄機構、４４は仕切部材、４４ｃは仕切部材の側部（仕切り）、４５はスライド用部材、４７はレールを示す。
【手続補正６】
【補正対象書類名】図面
【補正対象項目名】図１
【補正方法】変更
【補正の内容】
【図１】
2003325427.tif 000001
【手続補正書】
【提出日】平成17年3月11日(2005.3.11)
【手続補正１】
【補正対象書類名】明細書
【補正対象項目名】００２２
【補正方法】変更
【補正の内容】
【００２２】
上記重合開始剤は、光照射によって重合開始種を発生し、重合または架橋反応を促進させる化合物である。その代表的な例としては、次の化合物が挙げられる：ベンゾイン、アセトイン、メチルベンゾイン、エチルベンゾイン、イソプロピルベンゾイン、ベンゾフェノン、ベンジル、ミヒラーズケトン、キサントン、クロロチオキサントン、イソプロピルチオキサントン、ベンジルジメチルケタール、ナフトール、アントラキノン、ヒドロキシアントラセン、アセトフェノンジエチルケタール、α−ヒドロキシシクロヘキシルフェニルケトン、２−ヒドロキシ−２−メチルフェニルプロパンなど。これらの重合開始剤は単独の化合物であってもよいし、あるいは２種以上の組合せであっても良い。
【手続補正２】
【補正対象書類名】明細書
【補正対象項目名】００６２
【補正方法】変更
【補正の内容】
【００６２】
図１に示す同心三重ノズルを有するカプセル製造装置を準備し、キャリア流体２として１５℃に冷却した植物油を循環させた。この装置の外側ノズル１２から５５℃に加温した上記外皮膜形成用液体を射出すると同時に、中間ノズル１３から内皮膜調製用の材料としてビタミンＥ、そして、内側ノズル１１から内容物を射出し、形成される三相複合ジェットが一定速度（０．５ｍ／秒）でキャリア流体２中に射出されるようにした。形成された球状のカプセル３に３４０ｎｍ以下の短波長をカットするフィルターをつけた高圧水銀ランプを用いて照射し皮膜中の感光性樹脂を硬化させ、強固な乳酸菌シームレスカプセルを得た。得られたカプセル１ｇ中に封入された菌数は、１×１０７個であった。乳酸菌カプセル５０ｇ（湿重量）をＭＲＳ培地で洗浄し植物油を除いた後、５００ｍｌのＭＲＳ培地に加え、５ＭのＮａＯＨ水溶液でｐＨを６に調節しながら、３７℃で２４時間インキュベートした。得られた乳酸菌カプセルを破砕し、生菌数を測定したところ、カプセル１ｇあたりの菌数は５×１０１０個に増殖していた。得られた高密度乳酸菌カプセルをさらに１Ｌのグルコース溶液（リン酸水素二アンモニウム添加）に入れて同様に培養したところ、多量の乳酸を生成していた。乳酸菌カプセルは、網で回収し、さらに同様に繰り返し、乳酸の生産に用いることができ、効率のよいバイオリアクターが構築できた。さらに、１０回の繰り返しの使用により菌の活性が低下してきたため、再度ＭＲＳ培地で同様にして培養することにより、菌体が再増殖し活性化した。活性化した乳酸菌カプセルを、再度上記のグルコース溶液に入れて培養したところ、多量の乳酸を生成した。その間、乳酸菌カプセルの皮膜はその形状を安定に保持した。
【手続補正３】
【補正対象書類名】明細書
【補正対象項目名】００６６
【補正方法】変更
【補正の内容】
【００６６】
組成                                  含有量
（外皮膜組成物）
アクロイルモルフォリン（ＡＣＭＯ）            ４５重量％
寒天                                        ２．０重量％
２−ヒドロキシ−２−メチルフェニルプロパン  ０．８重量％
塩化カリウム                                ０．２重量％
精製水                                        ５２重量％
（内皮膜材料）
ビタミンＥ                                  １００重量％
（内容物）
アガロース                                    １０重量％
ランゲルハンス島を含むＨａｎｋｓ液          ０．５重量％
精製水                                    ８９．５重量％